(57)【要約】【課題】円滑に飛石体を供給する。【解決手段】飛石体案内路（３）は、その上端部近傍の軸止部（３ｂ）で軸止されており、軸止部（３ｂ）を中心とした揺動が可能である。一方、底板（３ａ）の重心より上端側を軸止されているため、底板（３ａ）の下端側は重力で下がり、下側タイヤ（１ａ）の周面に当たって支えられている。【効果】下側タイヤ（１ａ）が回転すると、底板（３ａ）は細かく揺動する。このため、どのような形状の飛石体（２）でも途中で止まらずに底板（３ａ）を滑り落ち、円滑に飛石体（２）をタイヤ（１ａ，１ｂ）の間に供給することが出来る。【選択図】図１
2008058042.tif 000002
【特許請求の範囲】
【請求項１】
間に飛石体が挟まるように並べられた２個のタイヤと、傾斜した底板の上端部に飛石体を置くと該飛石体が前記底板を滑り落ちて下端部から前記タイヤの間に供給される飛石体案内路と、前記タイヤの間に供給された飛石体を飛ばして試料にぶつけるべく前記タイヤを回転させる回転駆動機構とを具備した飛石試験装置において、前記飛石体案内路の底板を振動させることを特徴とする飛石試験装置。
【請求項２】
請求項１に記載の飛石試験装置において、前記２個のタイヤを上下に並べて配置し、前記飛石体案内路の底板をその上端部近傍で軸止すると共にその下端を下側のタイヤに接触させたことを特徴とする飛石試験装置。
【請求項３】
請求項１または請求項２に記載の飛石試験装置において、前記タイヤから前記試料までの距離を変更可能に前記試料を保持する試料保持手段を具備したことを特徴とする飛石試験装置。
【発明の詳細な説明】
【技術分野】
【０００１】
本発明は、飛石試験装置に関し、さらに詳しくは、飛石体の形状によらず常に円滑に飛石体を供給できる飛石試験装置に関する。
【背景技術】
【０００２】
従来、２個のタイヤを上下に並べて配置し、それらタイヤの間に小石やボルトなどの飛石体を供給し、タイヤの回転で飛石体を飛ばして試料にぶつける飛石試験装置が知られている（例えば、特許文献１参照。）。
【特許文献１】特開平９−６１３０３号公報
【発明の開示】
【発明が解決しようとする課題】
【０００３】
上記従来の飛石試験装置では、装置の投入口に投入した飛石体は、傾斜した飛石体案内路の底板の上端部に落ちて底板を滑り、底板の下端部からタイヤの間に供給されるようになっていた。
しかし、飛石体の形状によっては底板をうまく滑らずに途中で止まってしまい、飛石体を円滑に供給できなくなる問題点があった（例えばボルトの形状は底板の途中で止まってしまいやすい）。
そこで、本発明の目的は、飛石体の形状によらず常に円滑に飛石体を供給できる飛石試験装置を提供することにある。
【課題を解決するための手段】
【０００４】
第１の観点では、本発明は、間に飛石体が挟まるように並べられた２個のタイヤと、傾斜した底板の上端部に飛石体を置くと該飛石体が前記底板を滑り落ちて下端部から前記タイヤの間に供給される飛石体案内路と、前記タイヤの間に供給された飛石体を飛ばして試料にぶつけるべく前記タイヤを回転させる回転駆動機構とを具備した飛石試験装置において、前記飛石体案内路の底板を振動させることを特徴とする飛石試験装置を提供する。
上記第１の観点による飛石試験装置では、飛石体案内路の底板を振動させるようにしたので、どのような形状の飛石体でも途中で止まらずに底板を滑り落ちる。よって、飛石体の形状によらず常に円滑に飛石体をタイヤの間に供給することが出来る。
【０００５】
第２の観点では、本発明は、前記第１の観点による飛石試験装置において、前記２個のタイヤを上下に並べて配置し、前記飛石体案内路の底板をその上端部近傍で軸止すると共にその下端を下側のタイヤに接触させたことを特徴とする飛石試験装置を提供する。
上記第２の観点による飛石試験装置では、飛石体案内路の底板を振動させるための特別な駆動装置が不要であり、構成を簡略化できる。
【０００６】
第３の観点では、本発明は、前記第１または第２の観点による飛石試験装置において、前記タイヤから前記試料までの距離を変更可能に前記試料を保持する試料保持手段を具備したことを特徴とする飛石試験装置を提供する。
上記第３の観点による飛石試験装置では、タイヤから試料までの距離を変更することにより、試験条件を変えることが出来る。
【発明の効果】
【０００７】
本発明の飛石試験装置によれば、飛石体案内路の底板を振動させるようにしたので、どのような形状の飛石体でも途中で止まらずに底板を滑り落ち、常に円滑に飛石体をタイヤの間に供給することが出来る。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１に係る飛石試験装置１００を示す構成図である。
この飛石試験装置１００は、間に飛石体２が挟まるように上下に並べられた下側タイヤ１ａおよび上側タイヤ１ｂと、傾斜した底板３ａの上端部に飛石体２を置くと飛石体２が底板３ａを滑り落ちて下端部からタイヤ１ａ，１ｂの間に供給される飛石体案内路３と、タイヤ１ａ，１ｂの間に供給された飛石体２を飛ばして試料Ｓにぶつけるべく下側タイヤ１ａを回転させる回転駆動機構４と、試料Ｓを保持する試料ホルダ１１と、試料ホルダ１１を左右位置変更可能に支持する左右方向可動ガイド１２と、左右位置変更ガイド１２を前後位置変更可能に支持する前後方向可動ガイド１３とを具備している。
【００１０】
飛石体案内路３は、その上端部近傍の軸止部３ｂで軸止されており、軸止部３ｂを中心とした揺動が可能である。
一方、底板３ａの重心より上端側を軸止されているため、底板３ａの下端側は重力で下がり、下側タイヤ１ａの周面に当たって支えられている。このため、下側タイヤ１ａが回転すると、底板３ａは細かく揺動する。
【００１１】
上記以外の構成は、特開平９−６１３０３号公報に記載の飛石試験装置と同様である。
【００１２】
実施例１の飛石試験装置１００によれば、次の効果が得られる。
（１）飛石体案内路３の底板３ａが細かく揺動するので、どのような形状の飛石体２でも途中で止まらずに底板３ａを滑り落ちる。よって、飛石体２の形状によらず常に円滑に飛石体２をタイヤ１ａ，１ｂの間に供給することが出来る。
（２）飛石体案内路３の底板３ａを振動させるための特別な駆動装置が不要であり、構成を簡略化できる。
（３）前後方向可動ガイド１３により左右位置変更ガイド１２の位置を前後に変更すれば、タイヤ１ａから試料Ｓまでの距離を変更することが出来る。
【産業上の利用可能性】
【００１３】
本発明の飛石試験装置は、例えば飛石に対する自動車ラジエータの強度を試験するのに利用できる。
【図面の簡単な説明】
【００１４】
【図１】実施例１に係る飛石試験装置を示す構成説明図である。
【符号の説明】
【００１５】
１ａ            下側タイヤ
１ｂ            上側タイヤ
２              飛石体
３              飛石体案内路
３ａ            底板
４              回転駆動機構
１１            試料ホルダ
１２            左右方向可動ガイド
１３            前後方向可動ガイド
１００          飛石試験装置
Ｓ              試料
【図１】
2008058042.tif 000003